(57)【要約】【課題】露出アンダーや露出オーバーの場合でも、意図した色味の画像を得ることができる撮像装置を提供する。【解決手段】被写体画像を構成する各画素の輝度情報を用いて輝度ヒストグラムを作成する輝度ヒストグラム作成手段１０４と、輝度ヒストグラムを用いて明度に対応する入力信号に対して出力信号を補正するＲ、Ｂ色のガンマ補正カーブのＧ色のガンマ補正カーブに対する交差点を決定しかつ交差点を基準にしてＢ色のガンマ補正カーブと前記Ｒ色のガンマ補正カーブとのカーブ特性がＧ色のガンマ補正カーブに対して逆のガンマ補正カーブを描くように、ガンマ補正カーブを設定するガンマ補正カーブ設定手段１０４と、設定されたガンマ補正カーブを用いて被写体画像にガンマ補正処理を行うガンマ補正処理手段１０４とを備えている。【選択図】  図２
2012124652.tif 000002
【特許請求の範囲】
【請求項１】
被写体画像を構成する各画素の輝度情報を用いて輝度ヒストグラムを作成する輝度ヒストグラム作成手段と、
前記輝度ヒストグラム作成手段により作成された輝度ヒストグラムを用いて輝度に対応する入力信号に対して出力信号を補正するＲ、Ｂ色のガンマ補正カーブのＧ色のガンマ補正カーブに対する交差点を決定しかつ該交差点を基準にして前記Ｂ色のガンマ補正カーブと前記Ｒ色のガンマ補正カーブとのカーブ特性が前記Ｇ色のガンマ補正カーブに対して逆のガンマ補正カーブを描くように、R、G、B色毎にガンマ補正カーブを設定するガンマ補正カーブ設定手段と、
前記ガンマ補正カーブ設定手段により設定されたガンマ補正カーブを用いて前記被写体画像にガンマ補正処理を行うガンマ補正処理手段と、を備えていることを特徴とする撮像装置。
【請求項２】
前記輝度ヒストグラム作成手段は、前記輝度ヒストグラムの解析を行って、ある階調における画素の個数を按分して輝度の低い側の画素の総個数と輝度の高い側の画素の総個数とが等しくなる平均輝度値を演算により求めることを特徴とする請求項１に記載の撮像装置。
【請求項３】
前記輝度ヒストグラム作成手段は、前記輝度ヒストグラムの解析を行って、荷重平均により平均輝度値を演算により求めることを特徴とする請求項１に記載の撮像装置。
【請求項４】
前記ガンマ補正カーブ設定手段は、前記輝度ヒストグラム作成手段により得られた平均輝度値により前記交差点を決定することを特徴とする請求項２又は請求項３に記載の撮像装置。
【請求項５】
前記Ｂ色のガンマ補正カーブは、前記交差点よりも低い輝度の側で前記Ｇ色のガンマ補正カーブよりも補正量が大きくかつ前記交差点よりも高い輝度の側で前記Ｇ色のガンマ補正カーブよりも補正量が小さく、前記Ｒ色のガンマ補正カーブは、前記交差点よりも低い輝度の側で前記Ｇ色のガンマ補正カーブよりも補正量が小さくかつ前記交差点よりも高い輝度の側で前記Ｇ色のガンマ補正カーブよりも補正量が大きいことを特徴とする請求項４に記載の撮像装置。
【請求項６】
前記ガンマ補正カーブ設定手段は、前記被写体画像の露出状態に応じて前記ガンマ補正カーブの交差点を自動的に設定することを特徴とする請求項５に記載の撮像装置。
【請求項７】
前記ガンマ補正カーブ設定手段は、ユーザーの操作により前記ガンマ補正カーブの交差点の位置を変更可能なことを特徴とする請求項５に記載の撮像装置。
【請求項８】
前記ガンマ補正カーブ設定手段は、ユーザーの操作により前記Ｒ色のガンマ補正カーブと前記Ｂ色のガンマ補正カーブとのカーブ特性を入れ替え可能であることを特徴とする請求項６又は請求項７に記載の撮像装置。
【請求項９】
被写体画像の露出状態が所定置以上露出アンダーの場合又は所定値以上露出オーバーの場合にモニタ画面にエラー表示を行うことを特徴とする請求項１ないし請求項８のいずれか1項に記載の撮像装置。
【請求項１０】
被写体画像を構成する各画素の輝度情報に基づいて輝度ヒストグラムを作成する輝度ヒストグラム作成ステップと、
前記輝度ヒストグラム作成ステップにおいて作成された輝度ヒストグラムを用いて明度に対応する入力信号に対して出力信号を補正するＲ、Ｂ色のガンマ補正カーブのＧ色のガンマ補正カーブに対する交差点を決定しかつ該交差点を基準にして前記Ｂ色のガンマ補正カーブと前記Ｒ色のガンマ補正カーブとのカーブ特性が前記Ｇ色のガンマ補正カーブに対して逆のガンマ補正カーブを描くように、R、G、B色毎にガンマ補正カーブを設定するガンマ補正カーブ設定ステップと、
前記ガンマ補正カーブ設定ステップにおいて設定されたガンマ補正カーブを用いて前記被写体画像にガンマ補正処理を行うガンマ補正処理ステップと、を含むことを特徴とする画像処理方法。
【請求項１１】
前記輝度ヒストグラム作成ステップにおいて、前記輝度ヒストグラムの解析を行って、ある階調における画素の個数を按分して輝度の低い側の画素の総個数と輝度の高い側の画素の総個数とが等しくなる平均輝度値を演算により求めることを特徴とする請求項１０に記載の画像処理方法。
【請求項１２】
前記輝度ヒストグラム作成ステップにおいて、前記輝度ヒストグラムの解析を行って、荷重平均により平均輝度値を演算により求めることを特徴とする請求項１０に記載の画像処理方法。
【請求項１３】
前記ガンマ補正カーブ設定ステップにおいて、前記輝度ヒストグラム作成ステップにより得られた平均輝度値により前記交差点が決定されることを特徴とする請求項１１又は請求項１２に記載の画像処理方法。
【請求項１４】
前記Ｂ色のガンマ補正カーブは、前記交差点よりも低い輝度の側で前記Ｇ色のガンマ補正カーブよりも補正量が大きくかつ前記交差点よりも高い輝度の側で前記Ｇ色のガンマ補正カーブよりも補正量が小さく、前記Ｒ色のガンマ補正カーブは、前記交差点よりも低い輝度の側で前記Ｇ色のガンマ補正カーブよりも補正量が小さくかつ前記交差点よりも高い輝度の側で前記Ｇ色のガンマ補正カーブよりも補正量が大きいことを特徴とする請求項１３に記載の画像処理方法。
【請求項１５】
前記ガンマ補正カーブ設定ステップにおいて、前記被写体画像の露出状態に応じて前記ガンマ補正カーブの交差点が自動的に設定されることを特徴とする請求項１３に記載の画像処理方法。
【請求項１６】
前記ガンマ補正カーブ設定ステップにおいて、ユーザーの操作により前記ガンマ補正カーブの交差点の位置が変更されることを特徴とする請求項１３に記載の画像処理方法。
【請求項１７】
前記ガンマ補正カーブ設定ステップにおいて、ユーザーの操作により前記Ｒ色のガンマ補正カーブと前記Ｂ色のガンマ補正カーブとのカーブ特性が入れ替え可能であることを特徴とする請求項１５又は請求項１６に記載の画像処理方法。
【発明の詳細な説明】
【技術分野】
【０００１】
本発明は、撮像装置及び画像処理方法の改良に関する。
【背景技術】
【０００２】
一般的に、フィルム式のカメラにおいては、ネガフィルムをネガ現像し、ポジフィルムをポジ現像するところ、従来から、ネガフィルムをポジで現像、ポジフィルムをネガで現像するという逆の現像を行うことにより、不思議な雰囲気をもった特殊な色合いの画像を作り出すクロスプロセス処理が知られている。
【０００３】
従来から、このフィルムにおけるクロスプロセス処理と似た処理をデジタル画像で行うデジタルクロスプロセス処理も知られている。このデジタルプロセス処理では、Ｒ、Ｇ、Ｂのガンマ補正値（γ補正値）を輝度に応じて変更している。
【０００４】
しかしながら、従来のデジタルクロスプロセス処理では、輝度に応じて色味を変化させることにより、クロスプロセス調のデジタル画像を作ることができるが、輝度に応じて特殊な色味を持たせる場合、輝度によって色味が異なるため、露出アンダーの場合や、露出オーバーの場合には、意図した色味が得られないという問題がある。
【０００５】
その露出アンダーや露出オーバーの画像か否かを判定し、露出状態に応じて適切な画像処理を行う技術も知られている（特許文献１参照）。
【発明の概要】
【発明が解決しようとする課題】
【０００６】
その特許文献１に開示の技術は、逆光シーンの判定を行い、逆光シーンに適した画像処理を行うことにより、適正な明るさに補正することを目的としている。その特許文献１に開示の技術と本発明とは、被写体画像の露出状態に応じて、それに応じた画像処理を行なう点で類似している。
【０００７】
しかしながら、この特許文献１に開示のものは、デジタルクロスプロセス処理については、何ら言及されておらず、露出アンダーの場合や、露出オーバーの場合にデジタルクロスプロセス処理を行ったとき、意図した色味の画像が得られないという問題点を解消するものではない。
【０００８】
本発明は、露出オーバーや露出アンダーの被写体画像の場合でも、デジタルクロスプロセス処理により、意図した色味の画像が得られる撮像装置及び撮像方法を提供することを目的とする。
【課題を解決するための手段】
【０００９】
請求項１に記載の撮像装置は、被写体画像を構成する各画素の輝度情報を用いて輝度ヒストグラムを作成する輝度ヒストグラム作成手段と、前記輝度ヒストグラム作成手段により作成された輝度ヒストグラムを用いて輝度に対応する入力信号に対して出力信号を補正するＲ、Ｂ色のガンマ補正カーブのＧ色のガンマ補正カーブに対する交差点を決定しかつ該交差点を基準にして前記Ｂ色のガンマ補正カーブと前記Ｒ色のガンマ補正カーブとのカーブ特性が前記Ｇ色のガンマ補正カーブに対して逆のガンマ補正カーブを描くように、R、G、B色毎にガンマ補正カーブを設定するガンマ補正カーブ設定手段と、前記ガンマ補正カーブ設定手段により設定されたガンマ補正カーブを用いて前記被写体画像にガンマ補正処理を行うガンマ補正処理手段と、を備えていることを特徴とする。
【００１０】
請求項２に記載の撮像装置は、前記輝度ヒストグラム作成手段は、前記輝度ヒストグラムの解析を行って、ある階調における画素の個数を按分して輝度の低い側の画素の総個数と輝度の高い側の画素の総個数とが等しくなる平均輝度値を演算により求めることを特徴とする。
【００１１】
請求項３に記載の撮像装置は、前記輝度ヒストグラム作成手段は、前記輝度ヒストグラムの解析を行って、荷重平均により平均輝度値を演算により求めることを特徴とする。
【００１２】
請求項４に記載の撮像装置は、前記ガンマ補正カーブ設定手段は、前記輝度ヒストグラム作成手段により得られた平均輝度値により前記交差点を決定することを特徴とする。
【００１３】
請求項５に記載の撮像装置は、前記Ｂ色のガンマ補正カーブは、前記交差点よりも低い輝度の側で前記Ｇ色のガンマ補正カーブよりも補正量が大きくかつ前記交差点よりも高い輝度の側で前記Ｇ色のガンマ補正カーブよりも補正量が小さく、前記Ｒ色のガンマ補正カーブは、前記交差点よりも低い輝度の側で前記Ｇ色のガンマ補正カーブよりも補正量が小さくかつ前記交差点よりも高い輝度の側で前記Ｇ色のガンマ補正カーブよりも補正量が大きいことを特徴とする。
【００１４】
請求項６に記載の撮像装置は、前記ガンマ補正カーブ設定手段は、前記被写体画像の露出状態に応じて前記ガンマ補正カーブの交差点を自動的に設定することを特徴とする。
請求項７に記載の撮像装置は、前記ガンマ補正カーブ設定手段は、ユーザーの操作により前記ガンマ補正カーブの交差点の位置を変更可能なことを特徴とする。
【００１５】
請求項８に記載の撮像装置は、前記ガンマ補正カーブ設定手段は、ユーザーの操作により前記Ｒ色のガンマ補正カーブと前記Ｂ色のガンマ補正カーブとのカーブ特性を入れ替え可能であることを特徴とする。
【００１６】
請求項９に記載の撮像装置は、被写体画像の露出状態が所定置以上露出アンダーの場合又は所定値以上露出オーバーの場合にモニタ画面にエラー表示を行うことを特徴とする。
請求項１０に記載の画像処理方法は、被写体画像を構成する各画素の輝度情報に基づいて輝度ヒストグラムを作成する輝度ヒストグラム作成ステップと、前記輝度ヒストグラム作成ステップにおいて作成された輝度ヒストグラムを用いて明度に対応する入力信号に対して出力信号を補正するＲ、Ｂ色のガンマ補正カーブのＧ色のガンマ補正カーブに対する交差点を決定しかつ該交差点を基準にして前記Ｂ色のガンマ補正カーブと前記Ｒ色のガンマ補正カーブとのカーブ特性が前記Ｇ色のガンマ補正カーブに対して逆のガンマ補正カーブを描くように、R、G、B色毎にガンマ補正カーブを設定するガンマ補正カーブ設定ステップと、前記ガンマ補正カーブ設定ステップにおいて設定されたガンマ補正カーブを用いて前記被写体画像にガンマ補正処理を行うガンマ補正処理ステップとを含むことを特徴とする。
【００１７】
請求項１１に記載の画像処理方法は、前記輝度ヒストグラム作成ステップにおいて、前記輝度ヒストグラムの解析を行って、ある階調における画素の個数を按分して輝度の低い側の画素の総個数と輝度の高い側の画素の総個数とが等しくなる平均輝度値を演算により求めることを特徴とする。
【００１８】
請求項１２に記載の画像処理方法は、前記輝度ヒストグラム作成ステップにおいて、前記輝度ヒストグラムの解析を行って、荷重平均により平均輝度値を演算により求めることを特徴とする。
請求項１３に記載の画像処理方法は、前記ガンマ補正カーブ設定ステップにおいて、前記輝度ヒストグラム作成ステップにより得られた平均輝度値により前記交差点が決定されることを特徴とする。
【００１９】
請求項１４に記載の画像処理方法は、前記Ｂ色のガンマ補正カーブは、前記交差点よりも低い輝度の側で前記Ｇ色のガンマ補正カーブよりも補正量が大きくかつ前記交差点よりも高い輝度の側で前記Ｇ色のガンマ補正カーブよりも補正量が小さく、前記Ｒ色のガンマ補正カーブは、前記交差点よりも低い輝度の側で前記Ｇ色のガンマ補正カーブよりも補正量が小さくかつ前記交差点よりも高い輝度の側で前記Ｇ色のガンマ補正カーブよりも補正量が大きいことを特徴とする。
【００２０】
請求項１５に記載の画像処理方法は、前記ガンマ補正カーブ設定ステップにおいて、前記被写体画像の露出状態に応じて前記ガンマ補正カーブの交差点が自動的に設定されることを特徴とする。
請求項１６に記載の画像処理方法は、前記ガンマ補正カーブ設定ステップにおいて、ユーザーの操作により前記ガンマ補正カーブの交差点の位置が変更されることを特徴とする。
請求項１７に記載の画像処理方法は、前記ガンマ補正カーブ設定ステップにおいて、ユーザーの操作により前記Ｒ色のガンマ補正カーブと前記Ｂ色のガンマ補正カーブとのカーブ特性が入れ替え可能であることを特徴とする。
【発明の効果】
【００２１】
本発明によれば、輝度ヒストグラム全体の中間部分を用いて、Ｒ、Ｇ、Ｂのガンマ補正カーブに変化をもたせたので、被写体画像の露出状態に応じたガンマ補正カーブを設定することが可能となり、従って、露出アンダーや露出オーバーの場合でも、意図した色味の画像を得ることができるという効果を奏する。
【００２２】
特に、輝度ヒストグラムを用いて得られた平均値近傍を用いてガンマ補正カーブの交差点を設定し、この交差点をユーザーの操作により変更可能とすれば、より一層意図した色味の被写体画像を作成できる。
【００２３】
更には、輝度ヒストグラムを用いて得られた平均値近傍を用いてデフォルト値として設定されているＲ色のガンマ補正カーブとＢ色のガンマ補正カーブとを、ユーザー操作により入れ替え可能とすれば、更に意図した色味の被写体画像を作成できる。
【図面の簡単な説明】
【００２４】
【図１】図１は本発明の実施例に係る撮像装置としてのデジタルカメラの外観図を示し、（ａ）はデジタルカメラの正面図、（ｂ）は（ａ）に示すデジタルカメラの上面図、（ｃ）は（ａ）に示すデジタルカメラの背面図である。
【図２】図２は図１に示すデジタルカメラの制御回路を示すブロック図である。
【図３】図３は被写体画像を図２に示すカメラプロセッサにより解析処理して得られた輝度ヒストグラムの一例を示し、（ａ）は適正露光の被写体画像の輝度ヒストグラムの一例であり、（ｂ）は露光アンダーの被写体画像の輝度ヒストグラムの一例であり、（ｃ）は露光オーバーの被写体画像の輝度ヒストグラムの一例である。
【図４】図４は図３に示す輝度ヒストグラムを有する被写体画像をデジタルクロスプロセス処理するのに用いるガンマ補正カーブの一例であり、（ａ）は適正露光の被写体画像をガンマ補正するのに用いるガンマ補正カーブの一例であり、（ｂ）は露光アンダーの被写体画像をガンマ補正するのに用いるガンマ補正カーブの一例であり、（ｃ）は露光オーバーの被写体画像をガンマ補正するのに用いるガンマ補正カーブの一例である。
【図５】図５は図４（ａ）に示すガンマ補正カーブを補間して作成されたガンマ補正カーブの一例を示す図である。
【図６】図６は図３に示す輝度ヒストグラムを有する被写体画像をデジタルクロスプロセス処理するのに用いるガンマ補正カーブの他の例であり、（ａ）は図３（ａ）に示す輝度ヒストグラムの全画素個数の５０％の画素個数となる階調の位置を交差点としてガンマ補正カーブを作成した一例を示す図であり、（ｂ）は図３（ａ）に示す輝度ヒストグラムの交差点の位置に対して輝度が２５％低い側を交差点としてガンマ補正カーブを作成した一例を示す図であり、（ｃ）は図３（ａ）に示す輝度ヒストグラムの交差点の位置に対して輝度が２５％高い側を交差点としてガンマ補正カーブを作成した一例を示す図である。
【図７】図７は図６に示すガンマ補正カーブのＧ色のガンマ補正カーブとＲ色のガンマ補正カーブとをＧ色のガンマ補正カーブに対して入れ替えた例を示す説明図であり、（ａ）は図６（ａ）に対応するガンマ補正カーブを示し、（ｂ）は図６（ｂ）に対応するガンマ補正カーブを示し、（ｃ）は図６（ｃ）に対応するガンマ補正カーブを示している。
【図８】図８は本発明の実施例に係るデジタルカメラの作用を説明するための一例を示すフローチャートである。
【図９】図９はガンマ補正によるデジタルクロスプロセス処理後の階調別の色味の説明図であって、（ａ）は適正露光の被写体画像を図４（ａ）に示すガンマ補正カーブを用いてデジタルクロスプロセス処理した後の階調別の色味の説明図であり、（ｂ）は露光アンダーの被写体画像を図４（ａ）に示すガンマ補正カーブを用いてデジタルクロスプロセス処理した後の階調別の色味の説明図であり、（ｃ）は露光オーバーの被写体画像を図４（ａ）に示すガンマ補正カーブを用いてデジタルクロスプロセス処理した後の階調別の色味の説明図であり、（ｄ）は露光アンダーの被写体画像を図４（ｂ）に示すガンマ補正カーブを用いてデジタルクロスプロセス処理した後の階調別の色味の説明図であり、（ｅ）は露光オーバーの被写体画像を図４（ｃ）に示すガンマ補正カーブを用いてデジタルクロスプロセス処理した後の階調別の色味の説明図であり、（ｆ）は適正露光の被写体画像を図６（ｃ）に示すガンマ補正カーブを用いてデジタルクロスプロセス処理した後の階調別の色味の説明図であり、（ｇ）は適正露光の被写体画像を図６（ｂ）に示すガンマ補正カーブを用いてデジタルクロスプロセス処理した後の階調別の色味の説明図である。
【発明を実施するための形態】
【実施例】
【００２５】
図１は本発明に係る撮像装置としてのデジタルカメラの外観図であり、（ａ）はそのデジタルカメラの正面図、（ｂ）はそのデジタルカメラの上面図、（ｃ）はそのデジタルカメラの背面図である。
【００２６】
その図１において、１はデジタルカメラである。デジタルカメラ１はその正面に、図１（ａ）に示すように、ストロボ発光部３と、測距ユニット５と、リモートコントロール受光部６と、鏡胴ユニット７と、正面側光学ファインダー１１ａとを有する。デジタルカメラ１の側面には、図２に示すメモリカード１３０を挿入するメモリカードスロットル１２１が設けられている。
【００２７】
デジタルカメラ１は、その上面に、図１（ｂ）に示すように、サブＬＣＤ１’と、レリーズボタン２と、撮影・再生切り換えダイヤル４とを有する。サブＬＣＤ１’は、例えば、撮影可能枚数等を表示する表示部として用いられる。
【００２８】
デジタルカメラ１の背面には、図１（ｃ）に示すように、ＡＦＬＥＤ（オートフォーカスＬＥＤ）８と、ストロボＬＥＤ９と、ＬＣＤモニタ１０と、背面側光学ファインダー１１ｂと、ズームボタン１２と、電源スイッチ１３と、操作部１４とが設けられている。
【００２９】
図２は図１に示すデジタルカメラ１の制御回路のブロック図を示し、この図２を参照しつつ、デジタルカメラ１の各部の機能を説明する。
その図２において、１１４はストロボ回路である。ストロボ回路１１４は、ストロボ発光部３と共に自然光等の光が不足する場合に光量を補うために用いられる。
【００３０】
ストロボ回路１１４には、カメラプロセッサ１０４からストロボ発光信号が入力され、暗い場所や被写体が暗い場合の撮影においては、ストロボ回路１１４により、ストロボ発光部３が発光され、被写体が明るく照明される。
【００３１】
測距ユニット５は、デジタルカメラ１と被写体との間の距離を測る装置である。一般的に、デジタルカメラでは、撮像素子（ＣＣＤ）１０１に形成された被写体像のコントラストを検出し、最もコントラストの高い位置にフォーカスレンズ７２ａを移動させてフォーカスを行うＣＣＤ−ＡＦ方式が用いられている。
【００３２】
ＣＣＤ−ＡＦ方式は、フォーカスレンズ７２ａを少しずつ動かしてコントラストの良好なレンズ位置を探していくという動作を行うため、フォーカス動作が遅いという問題がある。
そこで、このデジタルカメラ１では、測距ユニット５を用いて被写体との距離情報を取得し、距離情報に基づきフォーカスレンズ７２ａを一気に目標位置近傍にまで移動させることによりフォーカス動作の高速化を図っている。
【００３３】
鏡胴ユニット７は、被写体の光学画像を取り込むズームレンズ７１ａ、ズーム駆動モータ７１ｂからなるズーム光学系７１、フォーカスレンズ７２ａ、フォーカス駆動モータ７２ｂからなるフォーカス光学系７２、絞り７３ａ、絞りモータ７３ｂからなる絞りユニット７３、メカニカルシャッタ７４ａ、メカニカルシャッタモータ７４ｂからなるメカニカルシャッタユニット７４、各モータを駆動するモータドライバ７５を有する。
【００３４】
モータドライバ７５は、リモートコントロール受光部６からの入力信号や操作部ＫｅｙユニットＳＷ１〜ＳＷ１３の操作入力に基づき、後述するカメラプロセッサ１０４内のＣＰＵブロック１０４３からの駆動指令により駆動制御される。
１０８はＲＯＭである。ＲＯＭ１０８には、ＣＰＵブロック１０４３において解読可能なコードにより記述された制御プログラムや制御するためのパラメータが格納されている。
【００３５】
このデジタルカメラ１では、その電源スイッチ１３がオンされると、制御プログラムがSDRAM１０３にロードされ、ＣＰＵブロック１０４３はその制御プログラムに従って装置各部の動作を制御するとともに、制御に必要なデータ等を一時的にＲＡＭ１０７及びカメラプロセッサ１０４内のＬｏｃａｌ ＳＲＡＭ１０４４に保存する。
【００３６】
ＲＯＭ１０８に書き換え可能なフラッシュＲＯＭを使用することにより、制御プログラムや制御パラメータの変更が可能となり、デジタルカメラ１の機能のバージョンアップを容易に行うことができる。
【００３７】
ＣＣＤ１０１は、被写体画像としての光学画像を光電変換するための固体撮像素子である。その光電変換信号はＦ／Ｅ（フロントエンド）−ＩＣ１０２に入力される。
Ｆ／Ｅ（フロントエンド）−ＩＣ１０２は、画像ノイズ除去用相関二重サンプリングを行うＣＤＳ１０２１、利得調整を行うＡＧＣ１０２２、デジタル信号変換を行うＡ／Ｄ変換器１０２３、ＴＧ１０２４を有する。
【００３８】
ＴＧ１０２４には、ＣＣＤ１信号処理ブロック１０４１から、垂直同期信号（ＶＤと記す。）、水平同期信号（ＨＤと記す。）が供給され、ＴＧ１０２４はＣＰＵブロック１０４３によって制御されるＣＣＤ１０１及びＦ／Ｅ−ＩＣ１０２の駆動タイミング信号を発生する。
【００３９】
カメラプロセッサ１０４は、ＣＣＤ２信号処理ブロック１０４２、ＣＰＵブロック１０４３、Ｌｏｃａｌ ＳＲＡＭ１０４４、ＵＳＢブロック１０４５、シリアルブロック１０４６、ＪＰＥＧ ＣＯＤＥＣブロック１０４７、ＲＥＳＩＺＥブロック１０４８、ＴＶ信号表示ブロック１０４９、メモリカードコントローラブロック１０４１０を有する。
【００４０】
ＣＣＤ２信号処理ブロック１０４２は、Ｆ／Ｅ―ＩＣ１０２の出力データにホワイトバランス設定やガンマ設定を行うと共に、ＴＧ１０２４にＶＤ信号、ＨＤ信号を供給するＣＣＤ１信号処理ブロック１０４１、フィルタリング処理により輝度データ・色差データへの変換を行う。
このＣＣＤ２信号処理ブロック１０４２の詳細機能は後述する。
【００４１】
ＣＰＵブロック１０４３は、装置各部の動作を制御する。Ｌｏｃａｌ ＳＲＡＭ１０４４は、制御に必要なデータ等を一時的に保存する。ＵＳＢブロック１０４５は、パーソナルコンピュータ等の外部機器とＵＳＢ通信を行う。シリアルブロック１０４６は、パーソナルコンピュータ等の外部機器とシリアル通信を行う。ＪＰＥＧ ＣＯＤＥＣブロック１０４７は、ＪＰＥＧ圧縮・伸張を行う。
【００４２】
ＲＥＳＩＺＥブロック１０４８は、画像データのサイズを補間処理により拡大・縮小する。ＴＶ信号表示ブロック１０４９は、液晶モニタやＴＶ等の外部表示機器に表示するため、ビデオ信号に変換した画像データを記録する。メモリカードコントローラブロック１０４１０は、メモリカードの制御を行う。
【００４３】
ＳＤＲＡＭ１０３は、カメラプロセッサ１０４で画像データに各種処理を施す際に、画像データを一時的に保存する。保存される画像データは、例えば、ＣＣＤ１０１からＦ／Ｅ−ＩＣ１０２を経由して画像データを取りこんで、ＣＣＤ１信号処理ブロック１０４１でホワイトバランス設定、ガンマ設定が行われた状態の「ＲＡＷ−ＲＧＢ画像データ」やＣＣＤ２信号処理ブロック１０４２で輝度データ・色差データ変換が行われた状態の「ＹＵＶ画像データ」、ＪＰＥＧ ＣＯＤＥＣブロック１０４７で、ＪＰＥＧ圧縮された「ＪＰＥＧ画像データ」等である。
【００４４】
メモリカードスロットル１２１は、着脱可能なメモリカード１３０を装着するためのスロットルである。内蔵メモリ１２０は、メモリカードスロットル１２１にメモリカードが装着されていない場合でも、撮影した画像データを記憶できるようにするためのメモリである。
【００４５】
１１７はＬＣＤドライバである。ＬＣＤドライバ１１７は、ＬＣＤモニタ１０を駆動するドライブ回路である。ＬＣＤドライバ１１７は、ＴＶ信号表示ブロック１０４９から出力されたビデオ信号をＬＣＤモニタ１０に表示する信号に変換する機能も有する。
ＬＣＤモニタ１０は、撮影前に被写体の状態を監視する、撮影済み画像を確認する、メモリカード１３０や内蔵メモリ１２０に記録した画像データを表示する等の機能を有するモニタである。
【００４６】
１１８はビデオＡＭＰである。ビデオＡＭＰ１１８は、ＴＶ信号表示ブロック１０４９から出力されたビデオ信号を７５Ωインピーダンス変換するためのアンプである。１１９はビデオジャックであり、ＴＶ等の外部表示機器と接続するためのジャックである。
【００４７】
１２２はＵＳＢコネクタである。ＵＳＢコネクタ１２２は、パーソナルコンピュータ等の外部機器とＵＳＢ接続を行う為のコネクタである。
ＳＵＢ−ＣＰＵ１０９は、ＲＯＭ・ＲＡＭをワンチップに内蔵したＣＰＵである。ＳＵＢ−ＣＰＵ１０９は、操作ＫｅｙユニットＳＷ１〜ＳＷ１３やリモートコントロール受光部６からの出力信号をユーザ操作情報として、ＣＰＵブロック１０４３に出力したり、ＣＰＵブロック１０４３より出力されるデジタルカメラ１の状態を、サブＬＣＤ１’、ＡＦ ＬＥＤ８、ストロボＬＥＤ９，ブザー（図示を略す）の制御信号に変換して出力する。
【００４８】
サブＬＣＤ１’は、ＬＣＤドライバ１１１により駆動される。ＬＣＤドライバ１１１にはＳＵＢ−ＣＰＵ１０９から出力信号が供給される。ＡＦ ＬＥＤ８は、撮影時の合焦状態を表示するためのＬＥＤである。ストロボＬＥＤ９は、ストロボ充電状態を表すためのＬＥＤである。
【００４９】
なお、このＡＦ ＬＥＤ８とストロボＬＥＤ９とを、メモリカードアクセス中などの別の表示用途に使用しても良い。操作ＫｅｙユニットＳＷ１〜ＳＷ１３は、ユーザが操作するＫｅｙ回路である。リモートコントロール受光部６は、ユーザが操作したリモコン送信機の信号の受信部である。
【００５０】
音声記録ユニット１１５は、ユーザが音声信号を入力するマイク１１５３、入力された音声信号を増幅するマイクＡＭＰ１１５２、増幅された音声信号を記録する音声記録回路１１５１からなる。音声再生ユニット１１６は、記録された音声信号をスピーカーから出力可能な信号に変換する音声再生回路１１６１、変換された音声信号を増幅してスピーカーを駆動するオーディオＡＭＰ１１６２、音声信号を出力するスピーカー１１６３からなる。
【００５１】
このデジタルカメラ１は、加速度センサ１１１’を備えている。加速度センサ１１１’は、加速度を計測し、この加速度センサ１１１’を用いて撮像装置本体の傾き角度を検出できる。
カメラプロセッサ１０４は、Ｉ２Ｃブロック１０４１１を介して加速度センサ１１１’とシリアル通信し、取得したデータからカメラの傾きを演算する。
【００５２】
なお、このデジタルカメラ１は、環境温度を測定する温度センサ（図示を略す）を有し、デジタルカメラ内外の温度を測定し、温度が異常に上昇している場合にはデジタルカメラ１の電源を落としたり、温度センサのデータを参照してデジタルカメラ１の制御内容を変更したりする。
【００５３】
また、このデジタルカメラ１は、シリアルドライバ回路（図示を略す）を有する。シリアルドライバ回路は、パーソナルコンピュータ等の外部機器とシリアル通信を行うために、シリアルブロック１０４６の出力信号を電圧変換するための回路である。
【００５４】
カメラプロセッサ１０４は、例えば、Ｆ／Ｅ（フロントエンド）−ＩＣ１０２を介して入力された被写体画像（画像データ）の各画素の輝度情報を用いて輝度ヒストグラムを作成する輝度ヒストグラム作成手段として機能する。
図３は撮像装置としてのデジタルカメラ１を用いて、ある被写体を撮影することにより得られた被写体画像の輝度ヒストグラムを示している。
【００５５】
その図３において、横軸は輝度値（階調）であり、縦軸はその輝度値を有する画素の各階調ｉにおける個数Ｎｉである。
ここでは、輝度値はグレースケールを用いて「０」から「２５５」の２５６段階の階調で表示されている。
なお、輝度ヒストグラムの解析に用いる画素の総個数Ｎは、各階調ｉにおける画素の個数Ｎｉの総和である。
【００５６】
また、その図３において、（ａ）は適正露光条件のもとでの輝度ヒストグラムを模式的に示している。（ｂ）は露出アンダーの条件のもとでの輝度ヒストグラムを模式的に示している。（ｃ）は露出オーバー条件のもとでの被写体画像の輝度ヒストグラムを模式的に示している。
【００５７】
適正露光条件のもとで被写体を撮影した場合、被写体画像の輝度値は、通常、図３（ａ）に示すように、各階調ｉ毎に度数（画素の個数Ｎｉ）の相違はあるもののほぼ一様な輝度分布となる。
【００５８】
これに対して、露出アンダーの条件のもとで被写体を撮影した場合、図３（ｂ）に示すように、暗い部分が多くなるため、被写体画像の輝度ヒストグラムは、輝度（明度）の低い側に偏った輝度分布となる。
【００５９】
その一方、露出オーバー条件のもとで被写体を撮影した場合、図３（ｃ）に示すように、明るい部分が多くなるため、被写体画像の輝度ヒストグラムは、輝度の高い側に偏った輝度分布となる。
【００６０】
カメラプロセッサ１０４は、ここでは、その輝度ヒストグラムの解析を行って、ある階調ｉにおける画素の個数Ｎｉを按分して輝度の低い側の画素の総個数Ｎ’と輝度の高い側の画素の総個数Ｎ”とが等しくなる平均輝度値Ｗを演算により求める。
【００６１】
カメラプロセッサ１０４は、荷重平均により平均輝度値Ｗを演算により求めても良い。
ある階調をｉ、その階調ｉにおける画素の個数をＮｉとすると、荷重平均による平均輝度値Ｗは、（ｉ×Ｎｉ）の総和を輝度ヒストグラムの解析に用いる全画素の個数Ｎ（Ｎ＝Ｎ’＋Ｎ”）で割った値により得られる。
【００６２】
従って、平均輝度値Ｗは、適正露光条件のもとでは、図３（ａ）に示すように、２５６階調のほぼ真ん中に位置し、露出アンダーの条件のもとでは、図３（ｂ）に示すように、２５６階調の左寄りに偏って位置し、露出オーバーの条件のもとでは、図３（ｃ）に示すように、２５６階調の右寄りに偏って位置する。
【００６３】
カメラプロセッサ１０４は、クロスプロセス処理の実行時には、一例として図４に示すガンマ補正カーブを用いて、クロスプロセス処理を実行する。その図４において、横軸は入力信号の大きさを示しており、縦軸は出力信号の大きさを示しており、入力信号の大きさ、出力信号の大きさは輝度値の大きさに対応している。
【００６４】
また、その図４において、実線はＧ（緑）色のガンマ補正カーブを示し、二点鎖線はＢ（青）色のガンマ補正カーブを示し、破線は（赤）色のガンマ補正カーブを示している。
その図４（ａ）は、適正露光の場合に用いるガンマ補正カーブであり、平均輝度値Ｗは、黒に対応する輝度値と白に対応する輝度値のほぼ真ん中にある。
【００６５】
この平均輝度値Ｗに基づきガンマ補正カーブの変曲点、すなわち、入力信号に対して出力信号を補正するＲ、Ｂ色のガンマ補正カーブのＧ色のガンマ補正カーブに対する交差点ＷＸを決定することにする。
【００６６】
カメラプロセッサ１０４は、この交差点ＷＸを基準にしてＢ色のガンマ補正カーブとＲ色のガンマ補正カーブとのカーブ特性がＧ色のガンマ補正カーブに対して逆のガンマ補正カーブを描くように、Ｒ、Ｇ、Ｂ色毎にガンマ補正カーブを設定するガンマ補正カーブ設定手段として機能する。
【００６７】
その図４（ｂ）は、露出アンダーの場合に用いるガンマ補正カーブであり、平均輝度値Ｗは、黒に対応する輝度値の側に偏っているため、この平均輝度値Ｗに対応する交差点ＷＸは、黒の階調の側に偏っている。
【００６８】
その図４（ｃ）は、露出オーバーの場合に得られるガンマ補正カーブであり、平均輝度値Ｗは、白に対応する輝度値の側に偏っているため、この平均輝度値Ｗに対応する交差点ＷＸは、白の階調の側に偏っている。
【００６９】
その実線で示すＧ（緑）色のガンマ補正カーブを基準にして、二点鎖線で示すＢ（青）色のガンマ補正カーブと、破線で示す（赤）色のガンマ補正カーブとは、交差点を境にして逆のカーブを描いており、交差点ＷＸを境にして、入力信号の小さい側では、一点鎖線で示すＢ（青）色のガンマ補正カーブが破線で示す（赤）色のガンマ補正カーブよりも大きく、交差点ＷＸを境にして、入力信号の大きい側では、破線で示す（赤）色のガンマ補正カーブが二点鎖線で示すＢ（青）色のガンマ補正カーブよりも大きい。
【００７０】
このようなガンマ補正カーブを用いると、入力信号が小さい場合には、すなわち、暗部の場合には、青味を帯びた画像を作成でき、入力信号の大きい場合には、赤味を帯びた画像を作成でき、階調別に特殊な色味を持たせることができる。
【００７１】
また、交差点ＷＸを基準として、ガンマカーブを補間することにより、この３パターン以外のガンマカーブを作成することができる。図５は例えばそのガンマカーブの補間の一例を示すもので、一点鎖線Ｂ’は、二点鎖線で示すＢ（青）色のガンマ補正カーブと実線で示すＧ（緑）色のガンマ補正カーブとを用いて補間により得られたＢ（青）色のガンマ補間カーブである。
【００７２】
図６はユーザーが設定可能なガンマカーブの一例を示している。図６は適正露光条件で撮影された被写体画像に用いるガンマ補正カーブを示している。
カメラプロセッサ１０４は、図６（ａ）に示すように、デフォルト値では、平均輝度値Ｗを交差点ＷＸとして、ガンマ補正カーブを設定する。
【００７３】
このガンマー補正カーブは、ユーザーの操作ＫｅｙユニットＳＷ１〜ＳＷ１３のいずれかのキーの操作により交差点を変更可能である。そのキーには、例えば、操作キースイッチＳＷ１を用いる。
【００７４】
図６（ｂ）には平均輝度値Ｗの２５％の位置を交差点ＷＸとした例が示され、図６（ｃ）には平均輝度値Ｗの７５％の位置を交差点ＷＸとした例が示されている。
従って、適正露光条件のもとでは、ユーザーが平均輝度値Ｗの位置に対して５０％の位置を交差点ＷＸとして選択した場合、図６（ａ）に示すガンマ補正カーブが選択され、２５％の位置を交差点ＷＸとして選択した場合、図６（ｂ）に示すガンマ補正カーブが選択され、平均輝度値Ｗの位置に対して７５％の位置を交差点ＷＸとして選択した場合、図６（ｃ）に示すガンマ補正カーブが選択される。
【００７５】
一方、露出アンダーの場合には、露出アンダーにより得られた図３（ｂ）に示す平均輝度値Ｗの位置に対する２５％の位置、７５％の位置に基づくガンマ補正カーブが選択される。
同様に、露出オーバーの場合には、露出オーバーにより得られた図３（ｃ）に示す平均輝度値Ｗの位置に対する２５％の位置、７５％の位置に基づくガンマ補正カーブが選択される。
【００７６】
このように、ユーザーがどの交差点ＷＸの位置、すなわち、どの階調の位置で、青色のガンマ補正カーブと赤色の補正カーブとを交差させるかによって、同一露出条件のもとでも、異なった色味を被写体画像に与えることができる。
【００７７】
図６（ｂ）に示すガンマ補正カーブを選択すると、適正露光の場合、比較的暗い部分からでも、赤味を与えることができる。
図６（ｃ）に示すガンマ補正カーブを選択すると、適正露光の場合、比較的明るい部分まで、青味を与えることができる。
【００７８】
このデジタルカメラ１では、ユーザーのキー操作により、図７に示すように、交差点ＷＸを境にして、入力信号の小さい側では、破線で示す（赤）色のガンマ補正カーブが二点鎖線で示すＢ（青）色のガンマ補正カーブよりも大きく、交差点ＷＸを境にして、入力信号の大きい側では、二点鎖線で示すＢ（青）色のガンマ補正カーブが破線で示す（赤）色のガンマ補正カーブよりも大きくなるように、破線で示す（赤）色のガンマ補正カーブと二点鎖線で示すＢ（青）色のガンマ補正カーブとを入れ替えることもできる。
【００７９】
その図７（ａ）には、平均輝度値Ｗを交差点ＷＸにして、かつ、実線で示すＧ（緑）色のガンマ補正カーブを基準にして、一点鎖線で示すＢ（青）色のガンマ補正カーブと、破線で示す（赤）色のガンマ補正カーブとを入れ替えた図が示され、その図７（ｂ）には、平均輝度値Ｗの２５％の位置を交差点ＷＸにして、かつ、実線で示すＧ（緑）色のガンマ補正カーブを基準にして、一点鎖線で示すＢ（青）色のガンマ補正カーブと、破線で示す（赤）色のガンマ補正カーブとを入れ替えた図が示され、図７（ｃ）には、平均輝度値Ｗの７５％の位置を交差点にして、かつ、実線で示すＧ（緑）色のガンマ補正カーブを基準にして、二点鎖線で示すＢ（青）色のガンマ補正カーブと、破線で示す（赤）色のガンマ補正カーブとを入れ替えた図が示されている。
【００８０】
このように、平均輝度値Ｗを用いて交差点を決定して、かつ、実線で示すＧ（緑）色のガンマ補正カーブを基準にして、二点鎖線で示すＢ（青）色のガンマ補正カーブと、破線で示す（赤）色のガンマ補正カーブとを入れ替えると、被写体画像の明るい側の部分では、青味がかった画像を作成でき、被写体画像の暗い側の部分では、赤味がかった画像を作成できる。
これによって、ユーザーの好みの色調の選択幅が増大する。
【００８１】
（デジタルクロスプロセス実行時の動作説明）
以下、図８に示すデジタルクロスプロセス実行時のフローチャートを参照しつつ、本発明に係る撮像装置の動作を説明する。
被写体を撮影すると、設定された条件のもとで露出制御が実行され（Ｓ．１）、被写体に基づく被写体画像が得られる。
【００８２】
カメラプロセッサ１０４は、取得された被写体画像に基づき、輝度ヒストグラムを作成する（Ｓ．２）。そして、カメラプロセッサ１０４は、輝度ヒストグラムの累積データを解析し、既述したように平均輝度値Ｗを求める（Ｓ．３）。
【００８３】
カメラプロセッサ１０４は、ここでは、ある階調ｉにおける画素の個数Ｎｉを按分して輝度の低い側の画素の総個数Ｎ’と輝度の高い側の画素の総個数Ｎ”とが等しくなる平均輝度値Ｗを演算により求める。すなわち、平均輝度値Ｗを基準にして、明度の低い側と明度の高い側の画素の個数が５０％となる位置を求める。
【００８４】
ついで、カメラプロセッサ１０４は、Ｒ、Ｂの交差点ＷＸがユーザーにより指定されているか否かを判断する（Ｓ．４）。ユーザー操作により交差点ＷＸが指定されている場合には、ＹＥＳと判断してＳ．５に移行する。ユーザー操作により交差点ＷＸが指定されていない場合には、ＮＯと判断してＳ．６に移行する。
【００８５】
ステップＳ．６は、輝度ヒストグラムにより、被写体画像が露出アンダー、露出オーバー、適正露出の有無に拘わらず、平均輝度値ＷによりＲ、Ｇ、Ｂ色毎にガンマ補正カーブを自動的に設定するガンマ補正カーブ設定ステップである。
【００８６】
被写体画像が露出適正の場合（図３（ａ）参照）には、図４（ａ）に示すガンマ補正カーブが選択される。被写体画像が露出アンダーの場合（図３（ｂ）参照）には、図４（ｂ）に示すガンマ補正カーブが選択される。被写体画像が露出オーバーの場合（図３（ｃ）参照）には、図４（ｃ）に示すガンマ補正カーブが選択される。
【００８７】
ステップＳ．５は、輝度ヒストグラム作成ステップにおいて求められた平均輝度値Ｗに、ユーザーが指定した値を乗算して求めた値を交差点ＷＸに設定するガンマ補正カーブ設定ステップである。
【００８８】
被写体画像の露出が適正の場合に、５０％の値を設定すると、通常設定、すなわち、図６（ａ）に示すガンマ補正カーブが設定される。すなわち、ステップＳ．６で設定された図４（ａ）と同一のガンマ補正カーブが選択される。
【００８９】
被写体画像の露出が適正の場合に、２５％の値を設定すると、交差点ＷＸが通常設定の交差点ＷＸよりも２５％小さい位置に設定される。すなわち、図６（ｂ）に示すガンマ補正カーブが設定される。
【００９０】
被写体画像の露出が適正の場合に、７５％の値を設定すると、交差点ＷＸが通常設定の交差点ＷＸよりも２５％大きい位置に設定される。すなわち、図６（ｃ）に示すガンマ補正カーブが設定される。
【００９１】
被写体画像の露出がアンダーの場合、５０％の値を設定すると、通常設定、すなわち、図４（ｂ）に示すガンマ補正カーブが設定される。言い換えると、ステップＳ．６で設定されたガンマ補正カーブと同一のガンマ補正カーブが設定される。また、２５％の値に設定すると、交差点ＷＸが図４（ｂ）に示す交差点ＷＸの位置よりも２５％小さい位置に設定され、７５％の値に設定すると、交差点ＷＸが図４（ｂ）に示す交差点ＷＸの位置よりも２５％大きい位置に設定される。
【００９２】
被写体画像の露出がオーバーの場合、５０％の値を設定すると、通常設定、すなわち、図４（ｃ）に示すガンマ補正カーブが設定される。言い換えると、ステップＳ．６で設定されたガンマ補正カーブと同一のガンマ補正カーブが設定される。また、２５％の値に設定すると、交差点ＷＸが図４（ｃ）に示す交差点ＷＸの位置よりも２５％小さい位置に設定され、７５％の値に設定すると、交差点ＷＸが図４（ｃ）に示す交差点ＷＸの位置よりも２５％大きい位置に設定される。
【００９３】
カメラプロセッサ１０４は、Ｓ．５又はＳ．６の処理を実行後、実線で示すＧ（緑）色のガンマ補正カーブを基準にして、二点鎖線で示すＢ（青）色のガンマ補正カーブと、破線で示す（赤）色のガンマ補正カーブとを反転させるか否かを判断する（Ｓ．７）。
【００９４】
Ｓ．７において、イエスの場合、Ｓ．８に移行して、図７に一例として示すガンマ補正カーブが選択される。Ｓ．７において、ノーの場合、Ｓ．９に移行して、図４、図５、図６に一例として示すガンマ補正カーブが選択される。
【００９５】
これにより、最終的にクロスプロセス処理に用いるガンマ補正カーブが決定される（Ｓ．９）。ついで、カメラプロセッサ１０４は、決定されたガンマ補正カーブを用いてＪＰＥＧ圧縮処理を実行し（Ｓ．１０）、画像をＬＣＤモニタ１０等に出力する。
【００９６】
従って、Ｓ．７、Ｓ．８、Ｓ．９は、Ｒ色のガンマ補正カーブとＢ色のガンマ補正カーブとのカーブ特性を入れ替えるガンマ補正カーブ設定ステップである。
また、Ｓ．１０はガンマ補正カーブ設定ステップにおいて設定されたガンマ補正カーブを用いて被写体画像にガンマ補正処理を行うガンマ補正処理ステップである。
【００９７】
被写体画像の露出が適正の場合、図４（ａ）に示すガンマ補正カーブを用いてクロスプロセス処理を行った場合、相対的に輝度（明度）の低い側の部分は青味を帯び、相対的に輝度の高い側の部分は赤味を帯びる。
【００９８】
これに対して、露出アンダーの被写体画像に対して、図４（ａ）に示すガンマ補正カーブを用いてクロスプロセス処理を行った場合、階調の真ん中よりも高い輝度はほとんど存在しないから、図９（ｂ）に示すように、青味を帯びた被写体画像のみとなる。
【００９９】
反対に、露出オーバーの被写体画像に対して、図４（ａ）に示すガンマ補正カーブを用いてクロスプロセス処理を行った場合、階調の真ん中よりも低い輝度はほとんど存在しないから、図９（ｃ）に示すように、赤味を帯びた被写体画像のみとなる。
【０１００】
従って、このように、図４（ａ）に示すガンマ補正カーブを用いて露出アンダー、露出オーバーの被写体画像に対してクロスプロセス処理を行ったのでは、階調別に多彩な色味を与えるというクロスプロセス処理の実効は得られない。
【０１０１】
一方、露出アンダーの場合、図４（ｂ）に示すガンマ補正カーブを用いると、図３（ｂ）に示す暗い階調の被写体画像であっても、図９（ｄ）に示すように、平均輝度値Ｗの位置を境にしてより暗い側の輝度の部分では、青味を帯びた被写体画像を作成し、平均輝度値Ｗの位置を境にしてより明るい側の輝度の部分では、赤味を帯びた画像を作成できる。
【０１０２】
同様に、露出オーバーの場合には、図４（ｃ）に示すガンマ補正カーブを用いると、図３（ｃ）に示す明るい階調の被写体画像であっても、図９（ｅ）に示すように、平均輝度値Ｗの位置を境にしてより暗い側の輝度の部分では、青味を帯びた被写体画像を作成し、平均輝度値Ｗの位置を境にしてより明るい側の輝度の部分では、赤味を帯びた画像を作成できる。
【０１０３】
また、ユーザーが例えば図６（ｃ）に示す平均輝度値Ｗの７５％の位置を交差点ＷＸとしたガンマ補正カーブを設定した場合には、図９（ｆ）に示すように、被写体画像が青味を帯びる輝度領域を明るい側にシフトさせることができ、ユーザーが例えば図６（ｂ）に示す平均輝度値Ｗの２５％の位置を交差点としたガンマ補正カーブを設定した場合には、図９（ｇ）に示すように、被写体画像が赤味を帯びる輝度領域を暗い側にシフトさせることができる。
【０１０４】
また、ユーザーが、クロスプロセス処理において、図７に一例として示すガンマ補正カーブを選択した場合には、赤味を帯びている部分を青味を帯びた部分とし、青味を帯びている部分を赤味を帯びた部分とする被写体画像を作成できる。
【０１０５】
以上説明したように、本発明に係る撮像装置によれば、デジタルクロスプロセス処理において、意図した色味の画像を多彩且つ容易に設定することができる。
特に、輝度ヒストグラムの平均輝度値を交差点にして、その前後で色味を変更するようにガンマ補正カーブを設定すると、適正露光が得られなかった場合でも、クロスプロセス処理を行って意図した色味の被写体画像を得ることができる。
【０１０６】
また、カメラプロセッサ１０４は、被写体画像の露出状態が所定値以上露出アンダー又は所定値以上露出オーバーの場合、ＬＣＤモニタ１０のモニタ画面にエラー表示させる構成としても良い。
【０１０７】
以上、この実施例では、デジタルカメラを用いて説明を行ったが、本発明はこれに限定されるものではなく、カメラ機能を有する電子機器、あるいは、画像を処理する画像処理ＩＣ、画像処理ソフト等、画像処理全般に適用可能である。
【符号の説明】
【０１０８】
１…撮像装置（デジタルカメラ）
１０１…撮像素子（ＣＣＤ）
１０４…カメラプロセッサ（輝度ヒストグラム作成手段、ガンマ補正カーブ設定手段、ガンマ補正処理手段）
【先行技術文献】
【特許文献】
【０１０９】
【特許文献１】特開2000−134467号公報
【図１】
2012124652.tif 000003
【図２】
2012124652.tif 000004
【図３】
2012124652.tif 000005
【図４】
2012124652.tif 000006
【図５】
2012124652.tif 000007
【図６】
2012124652.tif 000008
【図７】
2012124652.tif 000009
【図８】
2012124652.tif 000010
【図９】
2012124652.tif 000011